【手続補正書】
【提出日】平成19年10月15日(2007.10.15)
【手続補正１】
【補正対象書類名】明細書
【補正対象項目名】特許請求の範囲
【補正方法】変更
【補正の内容】
【特許請求の範囲】
【請求項１】  画像処理を行う第１画像処理手段と、該第１画像処理手段とデータ配列の方式が異なる第２の画像処理手段とを備えた画像処理装置におけるデータ処理方法において、
前記第１画像処理手段において、記憶手段に記憶された画像データに対する画像処理を実行するために、前記画像データを前記記憶手段から前記第１画像処理手段にＤＭＡ転送する第１転送ステップと、
該第１転送ステップでＤＭＡ転送された画像データに対する画像処理を、前記第１画像処理手段において実行する第１画像処理ステップと、
該第１画像処理ステップで画像処理された画像データを、前記第１画像処理手段から前記記憶手段にＤＭＡ転送する第２転送ステップと、
前記第２画像処理手段において、前記記憶手段に記憶された画像データに対する画像処理を実行するために、前記画像データを前記記憶手段から前記第２画像処理手段にＤＭＡ転送する第３転送ステップと、
該第３転送ステップでＤＭＡ転送された画像データに対する画像処理を、前記第２画像処理手段において実行する第２画像処理ステップと、
該第２画像処理ステップで画像処理された画像データを、前記第２画像処理手段からデータ配列変換手段にＤＭＡ転送する第４転送ステップと、
該第４転送ステップでＤＭＡ転送された画像データに対するデータ配列の変換を、前記データ配列変換手段において実行する変換ステップと
を備えることを特徴とするデータ処理方法。
【請求項２】  前記変換ステップでデータ配列が変換された画像データを、前記データ配列変換手段から前記記憶手段にＤＭＡ転送する第５転送ステップを備えることを特徴とする請求項１に記載のデータ処理方法。
【請求項３】  画像処理を行う第１画像処理手段と、
画像処理を行う第２画像処理手段であって、前記第１画像処理手段とデータ配列の方式が異なる第２の画像処理手段と、
画像データを記憶する記憶手段と、
画像データのデータ配列を変換する変換手段と、
前記第１画像処理手段で画像処理する画像データのＤＭＡ転送を制御する第１ＤＭＡコントローラであって、前記記憶手段に記憶された画像データを前記記憶手段から前記第１画像処理手段にＤＭＡ転送させた後に、前記第１画像処理手段で画像処理された画像データを前記第１画像処理手段から前記記憶手段にＤＭＡ転送させるように制御する第１ＤＭＡコントローラと、
前記第２画像処理手段で画像処理する画像データのＤＭＡ転送を制御する第２ＤＭＡコントローラであって、前記記憶手段に記憶された画像データを前記記憶手段から前記第２画像処理手段にＤＭＡ転送させた後に、前記第２画像処理手段で画像処理された画像データを前記第２画像処理手段から前記変換手段にＤＭＡ転送させるよう制御する第２ＤＭＡコントローラと
を備えたことを特徴とする画像処理装置。
【請求項４】  前記変換手段は、
前記第２ＤＭＡコントローラにより前記第２画像処理手段からＤＭＡ転送された画像データを前記記憶手段に記憶させるためのオフセット情報を格納する格納手段と、
前記格納手段に格納された前記オフセット情報に基づいて、前記第２画像処理手段からＤＭＡ転送された画像データを前記記憶手段に記憶させるアドレスを生成する生成手段と
を含むことを特徴とする請求項３に記載の画像処理装置。
【請求項５】  前記変換手段は、前記第２ＤＭＡコントローラにより前記第２画像処理手段からＤＭＡ転送された画像データのデータ配列を変換した後に、前記データ配列が変換された画像データを前記記憶手段にＤＭＡ転送することを特徴とする請求項３に記載の画像処理装置。
【請求項６】  前記変換手段と前記第１ＤＭＡコントローラと前記第２ＤＭＡコントローラとが接続された第１バスと、
前記記憶手段と制御手段とが接続された第２バスと、
前記第１バスと前記第２バスとを接続して相互にデータを転送するための接続手段と
を備えたことを特徴とする請求項３、４または５に記載の画像処理装置。
【請求項７】  前記画像処理装置を制御する制御手段であって、前記第１画像処理手段とデータ配列の方式が等しい制御手段を備え、
前記第１ＤＭＡコントローラ及び前記第２ＤＭＡコントローラは、前記制御手段からの指示に基づいてＤＭＡ転送を制御することを特徴とする請求項３乃至６のいずれか１項に記載の画像処理装置。
【手続補正２】
【補正対象書類名】明細書
【補正対象項目名】０００９
【補正方法】変更
【補正の内容】
【０００９】
【課題を解決するための手段】
本発明は、このような目的を達成するために、請求項１に記載の発明は、画像処理を行う第１画像処理手段と、該第１画像処理手段とデータ配列の格納方式の異なる第２の画像処理手段とを備えた画像処理装置におけるデータ処理方法において、前記第１画像処理手段において、記憶手段に記憶された画像データに対する画像処理を実行するために、前記画像データを前記記憶手段から前記第１画像処理手段にＤＭＡ転送する第１転送ステップと、該第１転送ステップでＤＭＡ転送された画像データに対する画像処理を、前記第１画像処理手段において実行する第１画像処理ステップと、該第１画像処理ステップで画像処理された画像データを、前記第１画像処理手段から前記記憶手段にＤＭＡ転送する第２転送ステップと、前記第２画像処理手段において、前記記憶手段に記憶された画像データに対する画像処理を実行するために、前記画像データを前記記憶手段から前記第２画像処理手段にＤＭＡ転送する第３転送ステップと、該第３転送ステップでＤＭＡ転送された画像データに対する画像処理を、前記第２画像処理手段において実行する第２画像処理ステップと、該第２画像処理ステップで画像処理された画像データを、前記第２画像処理手段からデータ配列変換手段にＤＭＡ転送する第４転送ステップと、該第４転送ステップでＤＭＡ転送された画像データに対するデータ配列の変換を、前記データ配列変換手段において実行する変換ステップとを備えることを特徴とする。
【手続補正３】
【補正対象書類名】明細書
【補正対象項目名】００１０
【補正方法】変更
【補正の内容】
【００１０】
請求項２に記載の発明は、請求項１において、前記変換ステップでデータ配列が変換された画像データを、前記データ配列変換手段から前記記憶手段にＤＭＡ転送する第５転送ステップを備えることを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
請求項３に記載の発明は、画像処理を行う第１画像処理手段と、画像処理を行う第２画像処理手段であって、前記第１画像処理手段とデータ配列の方式が異なる第２の画像処理手段と、画像データを記憶する記憶手段と、画像データのデータ配列を変換する変換手段と、前記第１画像処理手段で画像処理する画像データのＤＭＡ転送を制御する第１ＤＭＡコントローラであって、前記記憶手段に記憶された画像データを前記記憶手段から前記第１画像処理手段にＤＭＡ転送させた後に、前記第１画像処理手段で画像処理された画像データを前記第１画像処理手段から前記記憶手段にＤＭＡ転送させるように制御する第１ＤＭＡコントローラと、前記第２画像処理手段で画像処理する画像データのＤＭＡ転送を制御する第２ＤＭＡコントローラであって、前記記憶手段に記憶された画像データを前記記憶手段から前記第２画像処理手段にＤＭＡ転送させた後に、前記第２画像処理手段で画像処理された画像データを前記第２画像処理手段から前記変換手段にＤＭＡ転送させるよう制御する第２ＤＭＡコントローラとを備えたことを特徴とする。
【手続補正７】
【補正対象書類名】明細書
【補正対象項目名】００１４
【補正方法】変更
【補正の内容】
【００１４】
請求項４に記載の発明は、請求項３において、前記変換手段は、前記第２ＤＭＡコントローラにより前記第２画像処理手段からＤＭＡ転送された画像データを前記記憶手段に記憶させるためのオフセット情報を格納する格納手段と、前記格納手段に格納された前記オフセット情報に基づいて、前記第２画像処理手段からＤＭＡ転送された画像データを前記記憶手段に記憶させるアドレスを生成する生成手段とを含むことを特徴とする。
【手続補正８】
【補正対象書類名】明細書
【補正対象項目名】００１５
【補正方法】変更
【補正の内容】
【００１５】
請求項５に記載の発明は、請求項３において、前記変換手段は、前記第２ＤＭＡコントローラにより前記第２画像処理手段からＤＭＡ転送された画像データのデータ配列を変換した後に、前記データ配列が変換された画像データを前記記憶手段にＤＭＡ転送することを特徴とする。
【手続補正９】
【補正対象書類名】明細書
【補正対象項目名】００１６
【補正方法】変更
【補正の内容】
【００１６】
請求項６に記載の発明は、請求項３、４または５において、前記変換手段と前記第１ＤＭＡコントローラと前記第２ＤＭＡコントローラとが接続された第１バスと、前記記憶手段と制御手段とが接続された第２バスと、前記第１バスと前記第２バスとを接続して相互にデータを転送するための接続手段とを備えたことを特徴とする。
【手続補正１０】
【補正対象書類名】明細書
【補正対象項目名】００１７
【補正方法】変更
【補正の内容】
【００１７】
請求項７に記載の発明は、請求項３乃至６のいずれか１項において、前記画像処理装置を制御する制御手段であって、前記第１画像処理手段とデータ配列の方式が等しい制御手段を備え、前記第１ＤＭＡコントローラ及び前記第２ＤＭＡコントローラは、前記制御手段からの指示に基づいてＤＭＡ転送を制御することを特徴とする。
【手続補正１１】
【補正対象書類名】明細書
【補正対象項目名】００１８
【補正方法】削除
【補正の内容】